(57)【特許請求の範囲】
【請求項１】
複数台のショーケースを１つのグループとし、該複数台のショーケースにそれぞれ照明装置を備え、共通の点灯指令により前記複数台のショーケースの照明装置を点灯するようにしたショーケースの制御装置において、前記複数台のショーケースは、それぞれ機種コードを記憶するとともに、機種コードに対応する前記照明装置の異なる点灯遅延時間を記憶する記憶部と、前記グループに同一の機種コードが存在する場合に点灯遅延時間を変更して設定可能な入力装置と、前記点灯指令が与えられたとき、前記機種コードに対応した点灯遅延時間もしくは同一の機種コードが存在する場合に前記入力装置により設定された点灯遅延時間に基づいて前記照明装置を点灯させる制御部とを備えたことを特徴とするショーケースの制御装置。
【発明の詳細な説明】
【技術分野】
【０００１】
本発明は、複数台設置されたショーケースにそれぞれ取り付けられた照明装置を制御するためのショーケースの制御装置に関する。
【背景技術】
【０００２】
まず、ショーケースの一例として、二層エアカーテン方式の多段形オープンショーケースの構成を図３に示す。
【０００３】
図３において、１は断熱筐体になるオープンショーケースのケース本体であり、前面開放形の鋼板製の外箱１ａと内箱１ｂとの間には、内箱１ｂの外周に内外二重の冷気循環ダクト２，３が画成されており、この冷気循環ダクト２，３に連ねてケース本体１のフロント上部側にはエアカーテン吹出口２ａ，３ａが、下部側にはエアカーテン吸込口２ｂ，３ｂが開口している。また、内層の冷気循環ダクト（インナーダクト）２には冷却器４およびファン５が、外層の冷気循環ダクト（アウターダクト）３にはファン６が設けられている。
【０００４】
また、前記のエアカーテン吹出口２ａ，３ａにはハニカム整流体７を設け、保冷運転時にはハニカム整流体７を通じて庫内前面に内外二層の冷気エアカーテンを吹き出し形成して庫内に保冷する。なお、８は商品陳列棚、９はケース本体１の上部前面に設けたキャノピ部であり、商品陳列棚８下面、キャノピ部９、内箱１ｂの天井部分には、それぞれ照明装置１０が設けられている。
【０００５】
かかる構成になるオープンショーケースの保冷運転時には、インナーダクト２，アウターダクト３に冷気が循環送風され、エアカーテン吹出口２ａ，３ａのハニカム整流体７を通じてケース本体１の前面開口部に内外二層の冷気エアカーテンを吹出形成し、庫内の商品陳列棚８に陳列した商品を保冷するものである。
【０００６】
通常、このようなオープンショーケースが複数台連結されており、この各ショーケースに設けられている照明装置１０などは、開店時間および閉店時間に応じて各ショーケースとは別に設けた管理装置からの点消灯指令により一斉にオン・オフできるようにした装置が知られている（例えば、特許文献１参照）。
【先行技術文献】
【特許文献】
【０００７】
【特許文献１】特開平１１−１６６７８０号公報
【発明の概要】
【発明が解決しようとする課題】
【０００８】
ところで、上記ショーケースでは、管理装置からの指令により複数台のショーケースの照明装置１０を一斉に点灯するため、照明装置１０点灯時の突入電流の影響で電源電圧が一瞬低下し、照明装置１０の点灯障害を引き起こす可能性があった。
【０００９】
本発明は上記問題を解決するためになされたものであり、複数台のショーケースの照明装置点灯時における点灯障害を防ぐことができるショーケースの照明装置を提供することを目的とするものである。
【課題を解決するための手段】
【００１０】
上記目的を達成するために、本発明によれば、複数台のショーケースを１つのグループとし、該複数台のショーケースにそれぞれ照明装置を備え、共通の点灯指令により前記複数台のショーケースの照明装置を点灯するようにしたショーケースの制御装置において、前記複数台のショーケースは、それぞれ機種コードを記憶するとともに、機種コードに対応する前記照明装置の異なる点灯遅延時間を記憶する記憶部と、前記グループに同一の機種コードが存在する場合に点灯遅延時間を変更して設定可能な入力装置と、前記点灯指令が与えられたとき、前記機種コードに対応した点灯遅延時間もしくは同一の機種コードが存在する場合に前記入力装置により設定された点灯遅延時間に基づいて前記照明装置を点灯させる制御部とを備えたことを特徴とする。
【発明の効果】
【００１３】
本発明によれば、複数台のショーケースを１つのグループとし、該複数台のショーケースにそれぞれ照明装置を備え、共通の点灯指令により前記複数台のショーケースの照明装置を点灯するようにしたショーケースの制御装置において、前記複数台のショーケースは、それぞれ前記照明装置の点灯遅延時間を記憶する記憶部と、前記点灯指令が与えられたとき、前記点灯遅延時間に基づいて前記照明装置を点灯させる制御部とを備えたことにより、照明装置の点灯遅延時間を異ならせることにより、前記照明装置点灯時の突入電流を低減させることができ、ショーケースの電源電圧降下を低く抑えることができる。
【００１４】
また、具体的には、前記複数台のショーケースは、予めそれぞれ機種コードを記憶するとともに、機種コードに対応する前記照明装置の点灯遅延時間を記憶する記憶部を備えることにより、前記点灯指令が与えられたとき、前記機種コードに対応する前記照明装置の点灯遅延時間に基づいて前記照明装置を点灯させることができるので、上記効果に加え、機種に応じて、照明装置の点灯遅延時間を自動的に異ならせることができる。
【００１５】
また、前記照明装置の点灯遅延時間を変更可能な入力手段を備えたことにより、現地において、ショーケースの設置状況により点灯遅延時間を変更できる。
【図面の簡単な説明】
【００１６】
【図１】本発明の実施の形態によるショーケースの制御装置におけるシステム構成図である。
【図２】図１におけるフローチャート図である
【図３】冷気循環形オープンショーケースの概略構成図である。
【発明を実施するための形態】
【００１７】
以下、本発明の実施の形態を図１，図２に基づいて説明する。
【００１８】
図１はショーケースのシステム構成図を示すものであって、１Ａ−１Ｄは、ショーケースを示し、ショーケース１Ａ−１Ｄの内部には、制御部２Ａ−２Ｄ、照明装置１０Ａ−１０Ｄをそれぞれ備えている。
照明装置１０Ａ−１０Ｄは、各ショーケース１Ａ−１Ｄの商品陳列棚、キャノピ部、内箱の天井部分に設けられている。
ショーケース１Ａ−１Ｄは、各制御部２Ａ−２Ｄを介して渡り配線３にて接続されている。
【００１９】
上記制御部２Ａ−２Ｄには、それぞれ機種コード記憶部２１ａ−２１ｄを備えている。
【００２０】
機種コード記憶部２１ａ−２１ｄにはショーケースの機種コード毎に照明装置１０Ａ−１０Ｄの点灯遅延時間が記憶されている。
【００２１】
上記機種毎の照明装置１０Ａ−１０Ｄの点灯遅延時間は、例えば、機種コードとして機種Ａ−Ｄの４種類とし、それぞれの点灯遅延時間として、機種Ａ：遅延無、機種Ｂ：遅延有（短い）、機種Ｃ：遅延有（標準）、Ｄ：遅延有（長い）として記憶されているものとする。この遅延時間の値は適宜設定できるものである。
【００２２】
５は、管理装置であって、各ショーケース１Ａ−１Ｄに対して照明装置１０Ａ−１０Ｄへの点灯指令を含む各種制御指令を出力するものであり、１つのショーケース１に機外配線４にて接続されており、ショーケース１Ａ−１Ｄには、渡り配線３を介して順に指令が送信される。
【００２３】
この構成において、図２のフローチャートを用いて動作を説明する。
【００２４】
本実施の形態においては、ショーケース１Ａ：機種Ａ、ショーケース１Ｂ：機種Ｂ、ショーケース１Ｃ：機種Ｃ、ショーケース１Ｄ：機種Ｄとして、機種コード記憶部２１ａ−２１ｄにそれぞれ機種コードを記憶されたものとして説明する。
【００２５】
まず、店舗の開店前に管理装置６から照明装置１０Ａ−１０Ｄの点灯指令が機外配線４を介してショーケース１Ａの制御部２Ａに送信されると、制御部２Ａから制御部２Ｂ、制御部２Ｂから制御部２Ｃ、制御部２Ｃから制御部２Ｄと渡り配線３を介して順次、点灯指令が送信される（ステップＳ１，Ｙｅｓ）。
【００２６】
各制御部２Ａ−２Ｄでは、点灯指令を受信すると、自身のショーケースの機種コードに基づき、自照明装置１０Ａ−１０Ｄの点灯遅延時間を機種コード記憶部２１ａ−２１ｄから読み出す（ステップＳ２）。
【００２７】
すなわち、ショーケース１Ａは、機種Ａであるため(ステップＳ３，Ｙｅｓ）、機種コード記憶部２１ａから「遅延無」を読み出し（ステップＳ４）、「遅延無」であるため、制御部２Ａにて点灯指令を受信した時点で照明装置１０Ａを点灯させる（ステップＳ５）。
【００２８】
次に、ショーケース１Ｂは、機種Ｂであるため（ステップＳ６，Ｙｅｓ）機種コード記憶部２１ｂから「遅延有（短い）」を読み出し、「遅延有（短い）」であるため、制御部２Ｂにて点灯指令を受信してから予め定められている短い点灯遅延時間をカウントした後（ステップＳ７，Ｙｅｓ）に照明装置１０Ｂを点灯させる（ステップＳ８）。
【００２９】
次に、ショーケース１Ｃは、機種Ｃであるため（ステップＳ９，Ｙｅｓ）機種コード記憶部２１ｃから「遅延有（標準）」を読み出し、「遅延有（標準）」であるため、制御部２Ｃにて点灯指令を受信してから予め定められている標準の点灯遅延時間をカウントした後(ステップＳ１０，Ｙｅｓ）、照明装置１０Ｃを点灯させる(ステップＳ１１）。
【００３０】
次にショーケース１Ｄは、機種Ｄであるため（ステップＳ１２，Ｙｅｓ）機種コード記憶部２１ｄから「遅延有（長い）」を読み出し、「遅延有（長い）」であるため、制御部２Ｄにて点灯指令を受信してから予め定められている長い点灯遅延時間をカウントした後(ステップＳ１３，Ｙｅｓ）、照明装置１０Ｄを点灯させる(ステップＳ１４）。
【００３１】
このように、各ショーケースの機種コードに応じて照明装置の点灯開始までの時間を異ならせることで、照明装置点灯時の突入電流を低減させることができ、ショーケースの電源電圧降下を低く抑えることができる。
【００３２】
また、機種を入力するだけで点灯遅延時間を設定できるため、設定作業が軽減できる。
【００３３】
なお、管理装置から点灯指令を送信するようにしたが、複数台のショーケースのグループの中に親機を決めておき、親機の点灯指令に基づいて、同グループの照明装置を点灯させるようにしてもよい。また、複数台のショーケースの電源を一斉に投入した場合であってもよい。
【００３４】
また、グループ内に同じ機種が存在した場合には、照明装置の点灯遅延時間を変更可能な入力装置を各ショーケース１Ａ−１Ｄあるいは管理装置５に備え、入力装置から点灯遅延時間を設定することにより、同じ機種コードであってもそれぞれ点灯遅延時間を変更できるようにしてもよい。
【００３５】
上記実施の形態において、機種コード記憶部２１ａ−２１ｄに機種コードに応じた点灯遅延時間を記憶させているが、機種コードに関係なく、各ショーケースに点灯遅延時間をそれぞれ記憶させるようにしてもよく、その場合には、上記入力装置などを用いて同じ点灯遅延時間のショーケースが存在した場合には、点灯遅延時間を変更できるようにしてもよい。
【符号の説明】
【００３６】
１Ａ−１Ｄ      ショーケース
２Ａ−２Ｄ      制御部
３      渡り配線
４      機外配線
５      管理装置
１０Ａ−１０Ｄ      照明装置
２１ａ−２１ｄ      機種コード記憶部
【図１】
0005696439.tif 000002
【図２】
0005696439.tif 000003
【図３】
0005696439.tif 000004